(57)【要約】【課題】本発明は、ティアテープの端部が摘まみ易く、開封が容易で、ティアテープの端部が引き千切れることがなく、食品のフィルム包装袋としての密封度を充分に確保できるティアテープ付フィルム包装袋及びその形成方法を提供する。【解決手段】本発明のティアテープ付フィルム包装袋は、ティアテープ２に交差するヒートシール部３の外側で、前記ティアテープ２上に、引き剥がしタブ６を設けている。本発明のフィルム包装袋は、前記ティアテープ２に交差して設けた二条のヒートシール部間のティアテープ上２に、引き剥がしタブ６を設けるようにしてもよく、さらには、二条のヒートシール部間に、二条のヒートシール部分を繋ぐ連結ヒートシール部を設けるようにしてもよい。また、前記フィルム包装袋１の形成は、包装用フィルムの長手方向にティアテープを貼り付け、該ティアテープを跨いでタブとなる切口を設け、ティアテープを貼付した包装用フィルム内部へ被包装体をピロー包装方式より挿入包装し、被包装袋の前後で包装用フィルムをヒートシールと分離が行われる。【選択図】  図１
2004262519.tif 000002
【特許請求の範囲】
【請求項１】
ティアテープを設けたフィルム包装袋であって、前記ティアテープに交差するヒートシール部の外側で、かつフィルム包装袋の前記ティアテープ上に、引き剥がしタブを設けたことを特徴とするティアテープ付フィルム包装袋。
【請求項２】
ティアテープを設けたフィルム包装袋であって、前記ティアテープに交差する二条のヒートシール部間の前記ティアテープ上に、引き剥がしタブを設けたことを特徴とするティアテープ付フィルム包装袋。
【請求項３】
二条のヒートシール部間に、該二条のヒートシール部分を繋ぐ連結ヒートシール部を設けてなる請求項２に記載のティアテープ付フィルム包装袋。
【請求項４】
包装用フィルム上の所望の位置に、該包装用フィルムの長手方向にティアテープを貼り付け、該ティアテープを跨いで所望の位置にタブとなる切口を設け、さらにティアテープを貼付した包装用フィルム内部へ被包装体をピロー包装方式により挿入包装し、被包装体の前後で包装用フィルムをヒートシールするとともに先行する包装袋と切り離すことからなる請求項１〜３のいずれかに記載のティアテープ包装袋の形成方法。
【発明の詳細な説明】
【０００１】
【発明の属する技術分野】
本発明は、ティアテープ付フィルム包装袋、特には、菓子パン、調理用パン、惣菜用パン、つまみ類、お握り等の食品を密封して収納するフィルム包装袋及びその形成方法に関する。
【０００２】
【従来の技術】
ティアテープ付フィルム包装袋は、開封が円滑に行えて、包装物を容易に取り出すことができるため、カセットテープやＣＤ、レンズ付きフィルム等の各種商品やガム等の各種食品の包装に多用されている。
従来のティアテープ付フィルム包装袋には、一般に、ティアテープの端部を摘まみ易いようにフィルム包装袋の端辺から舌片状に突出させた構成のものや（特許文献１参照）、包装袋のティアテープ端辺に切り込みを入れたもの（特許文献２参照）、若しくはティアテープ端辺部に非接着部を設けて浮かし、この端辺部を摘まむことができるようにしたもの（特許文献３参照）等が知られている。
【０００３】
【特許文献１】
実開平５−７１８４３号公報
【特許文献２】
実開平５−７４６７７２号公報
【特許文献３】
登録実用新案第３００３２７９号公報
【０００４】
【発明が解決しようとする課題】
前記ティアテープの端部を舌片状に突出させた従来のティアテープ付フィルム包装袋は、該包装袋の取扱中や輸送等の移動時の衝撃等によって、ティアテープの突出端部が剥がれて開封してしまうおそれがあり、さらに、ティアテープの端部を摘まんで引き剥がす際に、ティアテープの突出端部で引き千切れて、開封が円滑にできなくなることがあるという難点があった。
また、前記従来のティアテープの端辺部に切り込みを入れたフィルム包装袋、あるいはティアテープの端辺部を非接着としたフィルム包装袋は、ティアテープの端辺部の位置がわかりずらい上に、摘まみにくいという難点があった。
【０００５】
このような従来のティアテープ付フィルム包装袋を、特に、袋詰した後に冷えて収縮する被包装体、例えば、製造直後の菓子パン類等の食品のフィルム包装袋に使用しようとすると、フィルム包装袋は、食品の袋詰時に適した大きさのものを使用しなければならないので、袋詰後、冷えて小さくなった食品のフィルム包装袋としては相対的に大きくなり、この包装袋の端辺部はぺらぺらしたシート状態となって取扱いにくく、ティアテープの端部を摘まむことが特に難しい。
さらに、従来のティアテープの摘まみ部分は、包装袋の封止部にかかっているものがほとんどで、少しの剥がれがあっても、包装袋内部の密封性が損なわれる危険性が大きく、食品衛生上好ましくない上に、商品価値を消失させるという問題があった。
【０００６】
そこで、本発明の課題は、ティアテープの端部が摘まみ易く、開封が容易で、ティアテープの端部が引き千切れることがなく、食品のフィルム包装袋としての密封度を充分に確保できるティアテープ付フィルム包装袋及びその形成方法を提供することにある。
【０００７】
【課題を解決するための手段】
上記課題を解決するため、本発明のティアテープ付きフィルム包装袋は、ティアテープに交差するヒートシール部の外側で、かつ前記ティアテープ上に、引き剥がしタブを設けている。
また、本発明のティアテープ付きフィルム包装袋は、ティアテープに交差する二条のヒートシール部を設け、この二条のヒートシール部間でティアテープ上に、引き剥がしタブを設けるようにしてもよく、この場合のティアテープ付きフィルム包装袋では、前記二条のヒートシール部間に、前記二条のヒートシール部を繋ぐ連結ヒートシール部を設けるようにしてもよい。
さらに、本発明の前記ティアテープ付きフィルム包装袋の形成方法は、包装用フィルム上の所望の位置に、該包装用フィルムの長手方向にティアテープを貼り付け、さらに、該ティアテープを跨いで所望の位置にタブとなる切口を設け、次いでティアテープを貼付した包装用フィルム内部へ被包装体をピロー包装方式により挿入包装し、被包装体の前後で包装用フィルムをヒートシールするとともに先行する包装袋と切り離すようにしている。
【０００８】
【発明の実施の形態】
以下、本発明の実施の形態を、図に基づいて説明する。
図１は、本発明のティアテープ付フィルム包装袋の一例を示す斜視図であり、図２は、本発明のティアテープ付フィルム包装袋の他の例を示す斜視図である。
図３は、本発明のティアテープ付フィルム包装袋の、さらに他の例を示す平面図であり、図４は、本発明のティアテープ付フィルム包装袋の、さらに別の例を示す平面図である。
図５の（ａ）は、本発明のティアテープ付フィルム包装袋の形成工程の一例を示す模式図であり、（ｂ）は、図５（ａ）のＡ−Ａ線矢視線に沿う断面図であり、（ｃ）は、図５（ａ）のＢ−Ｂ線矢視線に沿う断面図である。また、図６は、被包装体を収納したティアテープ付フィルム包装袋の切り離し前後を示す平面模式図である。
【０００９】
図１〜図４に示すティアテープ付フィルム包装袋は、いずれも菓子パン収納用のフィルム包装袋である。
図１に示すフィルム包装袋１は、ティアテープ２がフィルム包装袋１の長手方向に、側辺に沿って貼付されており、また、このティアテープ２に交差するように、一条のヒートシール部４がフィルム包装袋１の一端部に設けられ、さらに、このヒートシール部４の外側で、かつフィルム包装袋１の端縁５に接しない位置の前記ティアテープ２上には、引き剥がしタブ６が設けられている。ここで、引き剥がしタブ６の位置は、フィルム包装袋２の端縁部５に接しても飛び出してもよい。
前記ヒートシール部４は、被包装体たる菓子パン７を収納する収納部８との境界を形成している。
【００１０】
図２に示すフィルム包装袋１１は、ティアテープ２がフィルム包装袋１１の長手方向に、側辺に沿って貼付されており、このティアテープ２に交差するように、二条のヒートシール部１３、１４が間隔をあけて設けられている。
第一のヒートシール部１３は、フィルム包装袋１１の端縁部に設けられ、第二のヒートシール部１４は、第一のヒートシール部１３と並列に、フィルム包装袋１１の端縁５の内側に設けられて、菓子パン７の収納部８との境界を形成している。
【００１１】
また、二条のヒートシール部１３、１４の間のティアテープ２上には、引き剥がしタブ６が設けられている。
図１、図２に示した引き剥がしタブ６は、ティアテープ２を引き剥がす際の摘まみ部分となるもので、ティアテープ２を跨いで所望の位置に設けられた切口９によって形成されている。これらの引き剥がしタブ６の大きさ、形状は、使用するフィルム包装袋の大きさに合わせ、摘み易い形状に形成される。
なお、切口９により囲まれて形成される引き剥がしタブ６は、一見してその存在が判るように、周囲とは別の色、模様等の配色を施すようにしてもよい。
【００１２】
図１に示したヒートシール部４と前記第二のヒートシール部１４は、前述したように、本発明のティアテープ付フィルム包装袋の収納部８との境界をなす部分であって、収納部８内の密封性を確保するとともに、引き剥がしタブ６が、フィルム包装袋の取扱中や輸送等の移動時の衝撃等によってずれて、ティアテープ２の剥がれが始まっても、ヒートシール部４、１４で止まる、いわば歯止めとしての機能を果たすものである。
【００１３】
また、図３に示す、ティアテープ付フィルム包装袋２１は、二本のティアテープ２、２’がフィルム包装袋２１の中央部に、間隔を空けて二条長手方向に貼付されており、このティアテープ２、２’に交差するように、二条のヒートシール部１３、１４が間隔をあけて並列に設けられ、さらに、これらのヒートシール部１３、１４の間のティアテープ２、２’を跨ぐように切口９が設けられて、引き剥がしタブ６が形成されている。
【００１４】
引き剥がしタブ６の耐トラブル性の向上のためには、図４に示すように、二条のヒートシール部１３、１４の間を繋ぐ連結ヒートシール部１０を設けるようにして、ヒートシール部１３、１４の間で、連結ヒートシール部１０によって囲まれた領域内に、ティアテープ２の引き剥がしタブ６を配置するように形成すると良い。
なお、添付図面では、いずれもフィルム包装袋に一個の引き剥がしタブ６を形成した例を示したが、これに限定されるものではなく、複数個のティアテープ２の引き剥がしタブ６を並列して設けるようにしてもよい。
【００１５】
次に、本発明のティアテープ付フィルム包装袋の形成方法について、図面に基づき説明する。
本発明のティアテープ付フィルム包装袋の形成、被包装物の収納及び包装は、図５（ａ）に示すような工程により連続して行われる。
すなわち、まず、連続して送出されるＯＰＰ（二軸延伸ポリプロピレン）等からなる樹脂製のシート状の包装用フィルム２０に、インナーシート２２が重ね合わせられ、包装用フィルム２０上の所望位置に、包装用フィルム２０の長手方向に、ティアテープ２３が熱溶着等の手段２４によって貼り付けられる。
【００１６】
次いで、包装用フィルム２０のティアテープ２３上の所望位置に、カッター２５によりティアテープ２３の引き剥がしタブとなる切口が形成される。
ティアテープ２３の位置及び本数は、所望により変更可能であることが望ましく、また、引き剥がしタブとなる切口の形成位置は、被包装体の大きさ（長さ）等によって可変とされていることが望ましい。
前記インナーシート２２は、後述する菓子パンの包装用フィルムへの挿入を円滑に行うために使用されるものである。
【００１７】
次に、ティアテープ２３が貼り付けられたシート状の包装用フィルム２０は、矢印方向に進行するにしたがって、平板状から下方が開放された断面コ字状に変形してゆき［図５（ｂ）］、この開放収納部に、包装用フィルム２０と同じ流れ方向に送出されてきた菓子パン１７が挿入され、さらに、この菓子パン１７を上方から包み込むように、包装用フィルム２０の側辺２６、２６’をヒーター２７等で熱溶着して張り合せて、両端に開口を有する筒状の長尺包装袋２８となる［図５（ｃ）］。
【００１８】
次いで、菓子パン１７を収納した筒状の長尺包装袋２８は、裁断溶着機２９によって、長尺包装袋２８の前後の所定位置で、フィルム包装袋の後端部となるヒートシール部３１と各ヒートシール部４、１３、１４の形成と裁断線３０の形成が同時に行われ、先行するティアテープ付フィルム包装袋３２と切り離される［図５（ａ）、図６参照］。
このように、前記工程による本発明の形成方法によれば、本発明のティアテープ付フィルム包装袋の形成、被包装物の収納及び包装を自動的に行うことができる。
【００１９】
なお、前記実施の形態の説明では、菓子パン収納用のティアテープ付フィルム包装袋の例を示したが、野菜、肉、魚等の生鮮食料品やその他の食品の包装、あるいは食品に限らず、あらゆる物品の包装に適用できる。
【００２０】
【発明の効果】
本発明によれば、ティアテープの端部が摘まみ易く、開封が容易で、特に食品のフィルム包装袋としての密封度が充分に確保でき、ティアテープの引き剥がしに伴う耐トラブル性の向上が図れるティアテープ付フィルム包装袋及びその形成方法を提供できる。
【図面の簡単な説明】
【図１】本発明のティアテープ付フィルム包装袋の一例を示す斜視図である。
【図２】本発明のティアテープ付フィルム包装袋の他の例を示す斜視図である。
【図３】本発明のティアテープ付フィルム包装袋の、さらに他の例を示す平面図である。
【図４】本発明のティアテープ付フィルム包装袋の、さらに別の例を示す平面図である。
【図５】（ａ）は、本発明のティアテープ付フィルム包装袋の形成工程の一例を示す模式図であり、（ｂ）は、図５（ａ）のＡ−Ａ線矢視線に沿う断面図であり、（ｃ）は、図５（ａ）のＢ−Ｂ線矢視線に沿う断面図である。
【図６】被包装物を収納したティアテープ付フィルム包装袋の切り離し前後を示す平面模式図である。
【符号の説明】
１、１１、２１  フィルム包装袋
２、２’、２３  ティアテープ
４、１３、１４、３１  ヒートシール部
５  フィルム包装袋の端縁
６  引き剥がしタブ
７、１７  菓子パン
８  菓子パン収納部
９  切口
１０  連結ヒートシール部
２０  シート状の包装用フィルム
２２  インナーシート
２４  熱溶着手段
２５  カッター
２６、２６’  シート状の包装用フィルムの側辺
２７  ヒーター
２８  長尺包装袋
２９  裁断溶着機
３０  裁断線
３２  ティアテープ付フィルム包装袋
【図１】
2004262519.tif 000003
【図２】
2004262519.tif 000004
【図３】
2004262519.tif 000005
【図４】
2004262519.tif 000006
【図５】
2004262519.tif 000007
【図６】
2004262519.tif 000008